(57)【特許請求の範囲】
【請求項１】
電動工具を収納可能な収納部を有し、前後方向に延びる本体ケースと、
前記本体ケースの後部と接続され、前記本体ケースに対して回転可能であって、外面に副収納部を有する蓋体と、
前記蓋体の後部と接続され、前記蓋体に対して回転可能であって、前記副収納部を覆うことができる外蓋と、
前記本体ケースに保持されるハンドルと、
前記本体ケースと前記蓋体とをロック可能な一対のラッチと、を備える電動工具用収納ケースであって、
前記蓋体の前部に係止突起を設け、
前記外蓋の前部に、前記係止突起に係止可能な係止片を備えたロック板を設けて、前記係止突起と前記係止片との少なくとも一方に傾斜面若しくは曲面を形成し、前記副収納部の閉塞に伴い、前記ロック板が、前記傾斜面若しくは曲面の案内によって前記係止片が前記係止突起へ係止する係止位置へ移動して前端を前記外蓋に当接させる一方、前記ロック板を前記係止位置から当該係止を解除する係止解除位置へ任意に移動操作可能として、前記外蓋における前記ロック板の前方にバネ受け板を形成し、
前記バネ受け板と前記ロック板の前記前端との間に、前記ロック板を前記係止位置へ付勢するコイルバネを設けて、前記前端を前記コイルバネの付勢に抗して前記外蓋から離間させることで、前記係止片と前記係止突起との係止が解除されることを特徴とする電動工具用収納ケース。
【請求項２】
電動工具を収納可能な収納部を有し、前後方向に延びる本体ケースと、
前記本体ケースの後部と接続され、前記本体ケースに対して回転可能であって、外面に副収納部を有する蓋体と、
前記蓋体の後部と接続され、前記蓋体に対して回転可能であって、前記副収納部を覆うことができる外蓋と、
前記本体ケースに保持されるハンドルと、
前記本体ケースと前記蓋体とをロック可能な一対のラッチと、を備える電動工具用収納ケースであって、
前記蓋体の前部に係止突起を設け、
前記外蓋の前部に、前記係止突起に係止可能な係止片を備えたロック板を設けて、前記係止突起と前記係止片との少なくとも一方に傾斜面若しくは曲面を形成し、前記副収納部の閉塞に伴い、前記ロック板が、前記傾斜面若しくは曲面の案内によって前記係止片が前記係止突起へ係止する係止位置へ移動して後端を前記外蓋に当接させる一方、前記ロック板を前記係止位置から当該係止を解除する係止解除位置へ任意に移動操作可能として、前記外蓋における前記ロック板の後方にバネ受け板を形成し、
前記バネ受け板と前記ロック板の前記後端との間に、前記ロック板を前記係止位置へ付勢するコイルバネを設けて、前記後端を前記コイルバネの付勢に抗して前記外蓋から離間させることで、前記係止片と前記係止突起との係止が解除されることを特徴とする電動工具用収納ケース。
【請求項３】
前記ロック板には、左右外向きに軸が設けられており、前記外蓋には、前記軸を嵌入するための受け孔が設けられることを特徴とする請求項１又は２に記載の電動工具用収納ケース。
【請求項４】
前記ハンドルの外側には、上下方向の凸条がそれぞれ連設されており、前記凸条の外側に、前記一対のラッチがそれぞれ設けられることを特徴とする請求項１乃至３の何れかに記載の電動工具用収納ケース。
【請求項５】
前記係止突起は、前記外蓋の前端よりも後方に配置されていることを特徴とする請求項１乃至４の何れかに記載の電動工具用収納ケース。
【発明の詳細な説明】
【技術分野】
【０００１】
本発明は、インパクトドライバ等の電動工具とその付属品とを収納するための電動工具用収納ケースに関する。
【背景技術】
【０００２】
インパクトドライバ等の電動工具においては、電動工具自体に加えて、交換用のビット（先端工具）や充電式である場合のバッテリーパック及び充電器といった付属品を一纏めにして電動工具用収納ケースに収納し、これらを同時に運搬及び保管できるようにしたものが知られている。この電動工具用収納ケースとして、特許文献１には、電動工具本機等を収納する四角箱状の収納側ケースに、同形状の蓋側ケースをヒンジ結合して固定ラッチでロック可能とする一方、蓋側ケースの外面に、ビット等の小物を収納する副収納部を形成すると共に、その副収納部を開閉するカバー（外蓋）をヒンジ結合して固定ラッチでロック可能としたものが開示されている。
【先行技術文献】
【特許文献】
【０００３】
【特許文献１】特開２０１０−６４２２７号公報
【発明の概要】
【発明が解決しようとする課題】
【０００４】
しかし、上記従来の電動工具用収納ケースにおいては、副収納部を開閉するカバーをロックする固定ラッチに、係合部材及び付勢部材からなるいわゆるパッチン錠を採用している。従って、カバーを固定する際には、係合部材をカバーに設けた突起に係合させた後、付勢部材を倒して係合部材を付勢する２つの動作が必要となり、カバーを開放する際にも、付勢部材を起こして係合部材への付勢を解除した後、係合部材を突起から取り外す２つの動作が必要となる。このため、小物の出し入れに伴うカバーの開閉操作が面倒で使い勝手が悪くなっている。
【０００５】
そこで、本発明は、外蓋の開閉を良好な操作性で行うことができ、使い勝手に優れた電動工具用収納ケースを提供することを目的としたものである。
【課題を解決するための手段】
【０００６】
上記目的を達成するために、請求項１に記載の発明は、電動工具を収納可能な収納部を有し、前後方向に延びる本体ケースと、本体ケースの後部と接続され、本体ケースに対して回転可能であって、外面に副収納部を有する蓋体と、蓋体の後部と接続され、蓋体に対して回転可能であって、副収納部を覆うことができる外蓋と、本体ケースに保持されるハンドルと、本体ケースと蓋体とをロック可能な一対のラッチと、を備える電動工具用収納ケースであって、蓋体の前部に係止突起を設け、外蓋の前部に、係止突起に係止可能な係止片を備えたロック板を設けて、係止突起と係止片との少なくとも一方に傾斜面若しくは曲面を形成し、副収納部の閉塞に伴い、ロック板が、傾斜面若しくは曲面の案内によって係止片が係止突起へ係止する係止位置へ移動して前端を外蓋に当接させる一方、ロック板を係止位置から当該係止を解除する係止解除位置へ任意に移動操作可能として、外蓋におけるロック板の前方にバネ受け板を形成し、バネ受け板とロック板の前端との間に、ロック板を係止位置へ付勢するコイルバネを設けて、前端をコイルバネの付勢に抗して外蓋から離間させることで、係止片と係止突起との係止が解除されることを特徴とするものである。
上記目的を達成するために、請求項２に記載の発明は、電動工具を収納可能な収納部を有し、前後方向に延びる本体ケースと、本体ケースの後部と接続され、本体ケースに対して回転可能であって、外面に副収納部を有する蓋体と、蓋体の後部と接続され、蓋体に対して回転可能であって、副収納部を覆うことができる外蓋と、本体ケースに保持されるハンドルと、本体ケースと蓋体とをロック可能な一対のラッチと、を備える電動工具用収納ケースであって、蓋体の前部に係止突起を設け、外蓋の前部に、係止突起に係止可能な係止片を備えたロック板を設けて、係止突起と係止片との少なくとも一方に傾斜面若しくは曲面を形成し、副収納部の閉塞に伴い、ロック板が、傾斜面若しくは曲面の案内によって係止片が係止突起へ係止する係止位置へ移動して後端を外蓋に当接させる一方、ロック板を係止位置から当該係止を解除する係止解除位置へ任意に移動操作可能として、外蓋におけるロック板の後方にバネ受け板を形成し、バネ受け板とロック板の後端との間に、ロック板を係止位置へ付勢するコイルバネを設けて、後端をコイルバネの付勢に抗して外蓋から離間させることで、係止片と係止突起との係止が解除されることを特徴とするものである。
請求項３に記載の発明は、請求項１又は２の構成において、ロック板には、左右外向きに軸が設けられており、外蓋には、軸を嵌入するための受け孔が設けられることを特徴とするものである。
請求項４に記載の発明は、請求項１乃至３の何れかの構成において、ハンドルの外側には、上下方向の凸条がそれぞれ連設されており、凸条の外側に、一対のラッチがそれぞれ設けられることを特徴とするものである。
請求項５に記載の発明は、請求項１乃至４の何れかの構成において、係止突起は、外蓋の前端よりも後方に配置されていることを特徴とするものである。
【発明の効果】
【０００７】
本発明によれば、外蓋の開閉を良好な操作性で行うことができ、使い勝手に優れたものとなる。
【図面の簡単な説明】
【０００８】
【図１】形態１の電動工具用収納ケースの斜視図である。
【図２】形態１の電動工具用収納ケースの中央縦断面図である。
【図３】形態１の電動工具用収納ケースのロック板部分の拡大断面図である。
【図４】形態１の電動工具用収納ケースのロック板を引き上げた状態の中央縦断面図である。
【図５】形態１の電動工具用収納ケースの外蓋を開いた状態の中央縦断面図である。
【図６】形態１の電動工具用収納ケースの外蓋を開いた状態の斜視図である。
【図７】形態１の電動工具用収納ケースの外蓋を閉じる状態の中央縦断面図である。
【図８】形態２の電動工具用収納ケースの斜視図である。
【図９】形態２の電動工具用収納ケースのロック板部分の拡大断面図である。
【図１０】形態２の電動工具用収納ケースのロック板部分の拡大断面図である（ロック解除状態）。
【図１１】形態２の電動工具用収納ケースのロック板部分の拡大断面図である。
【発明を実施するための形態】
【０００９】
以下、本発明の実施の形態を図面に基づいて説明する。
［形態１］
図１，２に、電動工具用収納ケース（以下単に「収納ケース」という。）の一例を示す。この収納ケース１は、深底で四角箱状の本体ケース２と、その本体ケース２と同じ四角箱状で浅底の蓋体３とを備えた合成樹脂製で、本体ケース２内には、図示しない充電式インパクトドライバ等の電動工具本機やバッテリーパック、充電器等を収容する収納部４が形成されている。この本体ケース２と蓋体３とは、本体ケース２の上側の開口と蓋体３の下側の開口とを合わせた状態で後面（図２の左側を前方とする。）の開口縁同士が軸５によって互いに回転可能にヒンジ結合されている。
【００１０】
一方、本体ケース２と蓋体３との前側の開口縁同士は、左右一対のラッチ６，６によってロック／アンロック可能となっている。このラッチ６は、いわゆるパッチン錠と称されるもので、ここでは本体ケース２の開口際に、レバー板７の上端が回転可能に軸着されて、そのレバー板７の中間部に、フック板８の下端が回転可能に軸着されている。よって、フック板８の上端を蓋体３の開口際に設けた図示しない突起に係止させた状態で、レバー板７を本体ケース２の前面に沿うように下向きに倒すと、蓋体３が本体ケース２を閉じた状態でロックされる。
【００１１】
９は、ラッチ６，６の間で本体ケース２に設けられたハンドルで、ロック状態のラッチ６よりも前方へ突出する左右一対の下突起１０，１０に両端が回転可能に連結されて、ハンドル９を本体ケース２の前面側へ倒した状態では、下突起１０，１０の前面よりも前方へ突出しないようになっている。下突起１０には、倒したハンドル９の端部の外側に位置する上下方向の凸条１１がそれぞれ連設されている。
また、蓋体３の前面には、蓋体３を閉じた状態で本体ケース２の下突起１０，１０に連続する左右一対の上突起１２，１２が突設されている。
【００１２】
そして、蓋体３の上面には、ビット等の小物を収容する副収納部１３が、複数のスペースに区画された状態で凹設されており、蓋体３には、その副収納部１３の上面を開閉する外蓋１４が設けられている。この外蓋１４は、副収納部１３全体を覆う四角板で、下方へ折り曲げた図示しない後縁部を、副収納部１３の後縁に沿って左右方向に設けた係止溝１３ａへ係止させることで、後縁部を中心に上下方向へ回転可能となっている。外蓋１４の前端中央には、蓋体３及び外蓋１４を閉じた状態で前方下側へ円弧状に突出して蓋体３の前面を覆い、両端が蓋体３の上突起１２，１２に連続する仕切突起としてのカバー部１５が左右方向に突設されている。
【００１３】
また、外蓋１４の前方寄りの中央部には、正方形状の窓１６が形成されて、その窓１６内にロック部としてのロック板１７が設けられている。このロック板１７は、図３にも示すように、窓１６に嵌合して外蓋１４と上面が面一となる四角板状で、後方寄りには指掛け孔１８が穿設され、ロック板１７の下面で指掛け孔１８の前方には、下端に前向きの返し２０を設けた板状の係止片１９が下向きに突設されている。この返し２０の下面は、前方へ行くに従って上向きとなる傾斜面となっている。
さらに、ロック板１７の下面で係止片１９よりも前方で左右外側には、一対の側壁２１，２１が下向きに突設されて、各側壁２１の左右外面には互いに外向きとなる軸２２が突設されている。一方、窓１６の左右の内面には、側壁２１と対応する受け部２３，２３が下向きに突設されており、各受け部２３に形成した受け孔２４に軸２２が嵌入している。これにより、ロック板１７は窓１６内で軸２２を中心に回転可能に支持される。
【００１４】
但し、ロック板１７の前端は、窓１６の前縁に下方から係止する薄板部２５となって、ロック板１７の図３での右回転方向では、上面が外蓋１４と面一となる嵌合位置を越えないようになっている。また、外蓋１４の下面でロック板１７の前方には、ロック板１７の前端の下方に位置するＬ字状のバネ受け板２６が延設されて、バネ受け板２６とロック板１７の前端との間に、付勢手段としてのコイルバネ２７が上下方向に介在されている。これによりロック板１７は、薄板部２５が窓１６の前縁に当接する嵌合位置に付勢されることになる。２７ａは、ロック板１７の下面からコイルバネ２７の真後ろで下向きに突設されてコイルバネ２７の座屈を防止するガイド棒である。
【００１５】
一方、蓋体３の副収納部１３の底面において、外蓋１４を閉じた状態でロック板１７の係止片１９の前方となる位置には、係止板２８が係止片１９と平行に立設されて、係止板２８の上端に、係止片１９の返し２０が下方から係止する被係止部としての係止突起２９が、後ろ向きに突設されている。この係止突起２９の上面は、後方へ行くに従って下向きとなる傾斜面となっている。すなわち、係止片１９の返し２０と同じ傾斜である。
【００１６】
以上の如く構成された収納ケース１においては、副収納部１３に小物を出し入れするために外蓋１４を開ける際には、ロック板１７の指掛け孔１８から指を差し込んで引っ掛け、そのままロック板１７を起こすように上方へ引っ張る。すると、ロック板１７がコイルバネ２７の付勢に抗して軸２２を中心として図３で左回転し、係止片１９の返し２０を係止突起２９から外れる方向へ回転させるため、図４のように返し２０が係止突起２９から外れる係止解除位置となる。よって、図５，６のように外蓋１４を後端部を中心に上方へ回転させて副収納部１３を開放することができる。
【００１７】
一方、外蓋１４を閉じる際には、外蓋１４を副収納部１３の閉塞側へ回転させると、図７に示すように、ロック板１７の係止片１９の返し２０が係止突起２９に当接した後、外蓋１４の回転に連れてコイルバネ２７の付勢と傾斜面同士の案内とによって返し２０が係止突起２９を乗り越える。そして、外蓋１４が閉塞位置に達するとロック板１７は、図２，３のように再び返し２０が係止突起２９に係止する係止位置に復帰する。よって、外蓋１４は副収納部１３の閉塞に伴って自動的にロックされることになる。
【００１８】
このように、上記形態１の収納ケース１によれば、外蓋１４に、副収納部１３の閉塞に伴い蓋体３に設けた係止突起２９に係止する係止位置へ移動し、係止位置から当該係止を解除する係止解除位置へ任意に移動操作可能なロック板１７を設けたことで、外蓋１４による副収納部１３の閉塞に伴い自動的にロック板１７によるロックが可能となり、外蓋１４の開放の際にはロック板１７の引き上げ操作のみでロックが解除される。よって、外蓋１４の開閉を良好な操作性で行うことができ、使い勝手に優れたものとなる。
【００１９】
特にここでは、ロック板１７を係止突起２９への係止位置へ付勢するコイルバネ２７を設けているので、ロック板１７による自動係止が確実に行える。
また、ロック部を、外蓋１４へ別体に設けられるロック板１７としているので、ロック部を最適な形態で得ることができる。
さらに、ロック板１７を、外蓋１４の外面と面一となるように設けたことで、ロック板１７が外部のものに引っ掛かって偶発的にロックが解除されるおそれが低減される。
【００２０】
加えて、本体ケース２及び蓋体３を、背面同士がヒンジ結合され、前面同士がラッチ６，６によって任意にロック／アンロックされる四角箱状として、副収納部１３とロック板１７を含む外蓋１４とを蓋体３の上面に設けたことで、ロック板１７の引き上げと外蓋１４の開放とが略同じ動作方向となるため、ロック板１７の引き上げから外蓋１４の開放までを連続してスムーズに行うことができる。
また、本体ケース２及び蓋体３の前面側にハンドル９を左右方向に設けて、ロック板１７とハンドル９との間で外蓋１４に、ハンドル９と平行なカバー部１６を突設したことで、ハンドル９とロック板１７との間が仕切られ、ハンドル９を把持等する際にロック板１７が誤操作されるおそれが低減される。
【００２１】
［形態２］
次に、本発明の他の形態を説明する。但し、ロック板の部分を除いて収納ケースの他の構造は形態１と同様であるので、重複する構成部には同じ符号を付して説明を省略し、ロック板の構造を中心に説明する。
図８に示す収納ケース１ａにおいて、外蓋１４の前端でカバー部１５の中央には、前方へ行くに従って幅広となる切欠き３０が形成されて、その切欠き３０内にロック板３１が設けられている。このロック板３１は、前端がカバー部１６に合わせて下向きにカーブする板状体で、図９に示すように、前後方向の略中央に設けた左右の側壁３２，３２に軸３３がそれぞれ突設されて、切欠き３０の内面に設けた受け部３４の受け孔３５に嵌入している。ここではロック板３１の後端に設けた薄板部３６が切欠き３０の後縁に係止することで、ロック板３１の左回転が規制されている。
【００２２】
また、ここでの係止片３７は軸３３よりもやや前方に設けられて、返し３８は後ろ向きに突設されている。一方、係止板３９は係止片３７の後方で立設されて、係止突起４０は前向きに突設されている。返し３８の下面と係止突起４０の上面とには形態１と同様に傾斜面が形成されている。
そして、コイルバネ４１も、切欠き３０の後方で外蓋１４に延設したバネ受け板４２とロック板３１の後端との間に設けられて、ロック板３１を左回転方向へ付勢している。４３はガイド棒、４４は、軸３３よりも後方位置でロック板３１の上面に凹設された円形凹部である。
【００２３】
以上の如く構成された収納ケース１ａにおいては、副収納部１３に小物を出し入れするために外蓋１４を開ける際には、ロック板３１の円形凹部４４に指を当ててそのまま下方へ押し込む。すると、ロック板３１がコイルバネ４１の付勢に抗して軸３３を中心として図９で右回転し、係止片３７の返し３８を係止突起４０から外れる方向へ回転させるため、ロック板３１は図１０のように返し３８が係止突起４０から外れる係止解除位置へ移動する。よって、外蓋１４を後端部を中心に上方へ回転させて副収納部１３を開放することができる。
【００２４】
一方、外蓋１４を閉じる際には、外蓋１４を副収納部１３の閉塞側へ回転させると、図１１に示すように、ロック板３１の係止片３７の返し３８が係止突起４０に当接した後、外蓋１４の回転に連れてコイルバネ４１の付勢と傾斜面同士の案内とによって返し３８が係止突起４０を乗り越える。そして、外蓋１４が閉塞位置に達するとロック板３１は、図８，９のように再び返し３８が係止突起４０に係止する係止位置に復帰する。よって、外蓋１４は副収納部１３の閉塞に伴って自動的にロックされることになる。
【００２５】
このように、上記形態２の収納ケース１ａにおいても、外蓋１４に、副収納部１３の閉塞に伴い蓋体３に設けた係止突起４０に係止する係止位置へ移動し、係止位置から当該係止を解除する係止解除位置へ任意に移動操作可能なロック板３１を設けたことで、外蓋１４による副収納部１３の閉塞に伴い自動的にロック板３１によるロックが可能となり、外蓋１４の開放の際にはロック板３１の引き上げ操作のみでロックが解除される。よって、外蓋１４の開閉を良好な操作性で行うことができ、使い勝手に優れたものとなる。
【００２６】
特に、ロック板３１を係止突起４０への係止位置へ付勢するコイルバネ４１を設けているので、ロック板３１による自動係止が確実に行える。
また、ロック部を、外蓋１４へ別体に設けられるロック板３１としているので、ロック部を最適な形態で得ることができる。
さらに、ロック板３１を、外蓋１４の外面と面一となるように設けたことで、ロック板３１が外部のものに引っ掛かって偶発的にロックが解除されるおそれが低減される。
【００２７】
なお、上記形態１，２において、付勢手段はコイルバネに限らず、リーフスプリングや樹脂バネ等の他の要素を適宜採用して差し支えない。また、ロック板を回転可能に支持する軸と受け孔とを互いに逆側に設けたり、返しと係止突起との傾斜面を何れか一方のみに設けたり、傾斜面に代えて曲面にしたり等、適宜設計変更可能である。
さらに、上記形態１，２では、ロック板を外蓋の外面と面一にして設けているが、外蓋の外面よりも凹んだ位置に設けることもできる。
そして、上記形態１，２では、ロック部として別体のロック板を採用しているが、外蓋と一体に形成した弾性片をロック部として使用することもできる。
【００２８】
加えて、上記形態では付勢手段によってロック板自身を係止位置へ付勢して自動係止を可能としているが、ロック板に付勢手段を用いなくてもよい。例えば外蓋に、係止位置と係止解除位置とに揺動可能なロック板を設ける一方、蓋体に、外蓋の閉塞状態でロック板に当接して係止位置へ移動させる押圧部材を突出付勢して設けるようにすれば、外蓋の閉塞と同時に押圧部材に当接したロック板が係止位置へ移動して外蓋がロックされ、押圧部材を押し込むようにロック板を係止解除位置へ移動操作すると、外蓋の開放が可能となる。
【００２９】
その他、外蓋の形状も正方形や台形等であってもよいし、副収納部と蓋体との組も一つに限らず、例えば蓋体の上面に形成した副収納部を複数の蓋体で開閉するものや、本体ケースの外面にも副収納部と蓋体とを設けたもの等であっても本発明のロック部は適用できる。
勿論本体ケースや蓋体の構造も上記形態に限らず、全体形状に加えてラッチやハンドルの形状及びその数や配置等も適宜変更して差し支えない。
【符号の説明】
【００３０】
１，１ａ・・電動工具用収納ケース、２・・本体ケース、３・・蓋体、４・・収納部、５・・軸、６・・ラッチ、９・・ハンドル、１３・・副収納部、１４・・外蓋、１５・・カバー部、１６・・窓、１７，３１・・ロック板、１８・・指掛け孔、１９，３７・・係止片、２０，３８・・返し、２１，３２・・側壁、２２，３３・・軸、２４，３５・・受け孔、２５，３６・・薄板部、２７，４１・・コイルバネ、２８，３９・・係止板、２９，４０・・係止突起、３０・・切欠き。
【図１】
0005698479.tif 000002
【図２】
0005698479.tif 000003
【図３】
0005698479.tif 000004
【図４】
0005698479.tif 000005
【図５】
0005698479.tif 000006
【図６】
0005698479.tif 000007
【図７】
0005698479.tif 000008
【図８】
0005698479.tif 000009
【図９】
0005698479.tif 000010
【図１０】
0005698479.tif 000011
【図１１】
0005698479.tif 000012